(57)【要約】【課題】複数種類の外形寸法の記憶媒体の収納に対応し、且つ外部からの衝撃を吸収することができる汎用性の高い記憶媒体用収納容器を提供する。【解決手段】収納ケース１と蓋体２からなる記憶媒体用収納容器１０であって、その内部を緩衝体４によって覆い、緩衝体４に対向する溝部４ａを複数設けて、該溝部４ａに間仕切り板５を着脱自在に嵌合する。緩衝体４と間仕切り板５によって形成された収納スペースに記憶媒体２０を収納することで、外部からの衝撃を緩衝体４によって吸収させて記憶媒体２０を保護し、また記憶媒体２０のサイズに合わせて間仕切り板５を着脱して収納スペースを適宜変更することが可能で、識別子取付部６を設ける。【選択図】図１
2014184969.tif 000002
【特許請求の範囲】
【請求項１】
上部に開口部を設けた直方体状の収納ケースと、回動自在に取り付けられ前記開口部の開閉を行う蓋体からなる記憶媒体用収納容器であって、
前記収納ケース内部に、前記収納ケースの短手方向と平行に等間隔にて板状の固定仕切りを設け、
該固定仕切りの板面と前記収納ケース内面とで形成される収納部にクッション性を有する緩衝体を設け、
該収納部に設けた緩衝体の内、前記収納ケースの長手方向で対向する緩衝体の部位に、相対向する溝部を、前記収納部の深さ方向になるようにして平行に等間隔にて形成し、
該相対向する溝部に着脱可能な間仕切り板を設けたことを特徴とする記憶媒体用収納容器。
【請求項２】
前記固定仕切り及び前記間仕切り板は、前記クッション性を有する緩衝体より硬質なパロニア（登録商標）からなることを特徴とする請求項１記載の記憶媒体用収納容器。
【請求項３】
前記緩衝体はサンペルカ（登録商標）からなることを特徴とする請求項１又は２記載の記憶媒体用収納容器。
【請求項４】
前記収納ケースに収納する記憶媒体の種類を識別するための識別子を取り付けるための、識別子取付部を設け、
前記識別子取付部には、収納する記憶媒体の種類を記憶するＩＣタグを着脱可能に取り付けることを特徴とする請求項１乃至３の何れか一項記載の記憶媒体用収納容器。
【請求項５】
前記識別子取付部は、前記収納ケースの外側表面に形成した孔部に前記ＩＣタグを収納固定し、電波を通す樹脂製蓋によって前記孔部を覆い、更に前記樹脂製蓋を施錠するためのダイヤル錠を設けたことで、前記ＩＣタグの機能を維持しつつ保護することを特徴とする請求項４記載の記憶媒体用収納容器。
【発明の詳細な説明】
【技術分野】
【０００１】
本発明は、記憶媒体を収納し運搬に用いるための収納容器であって、外部からの衝撃から収納した記憶媒体を保護することが可能な記憶媒体用収納容器に関する。
【背景技術】
【０００２】
記憶媒体の運搬の際、記憶媒体の多くは外部からの衝撃によってデータの読み込みができなくなる物理的な破損や論理的な破損が生じる虞がある。このような記憶媒体を輸送する場合、通常その剛性による保護性能からアルミ合金トランクが使用され、例えば特許文献１では、仕切り板を、記憶媒体に合わせて作成してトランク内が収納に適したスペースとなるように仕切り、記憶媒体を仕切り板によって形成された収納部に収納してトランク内に固定し、パッチン錠によって施錠されて収納されている。
【先行技術文献】
【特許文献】
【０００３】
【特許文献１】特開２００９−２６２９３７号公報
【発明の概要】
【発明が解決しようとする課題】
【０００４】
記憶媒体は多くの仕様が公開されており、その形や外形寸法も多様化している。例えばＤＡＴやＬＴＯなどの外形寸法は１０種以上存在する。従来の記憶媒体の収納容器はこれらの多様な外形寸法の記憶媒体から１つを選択し、その記憶媒体に合わせた固定仕切りが設けられることから、記憶媒体の種類の分、収納容器が必要であり、汎用性を著しく欠いていた。
【０００５】
このため、収納容器は、情報記憶媒体の種類毎に用意すると、種類が増加するために、管理が煩雑となり、また、コスト面でも好ましくないという問題があった。
【０００６】
また、特許文献１に示すような仕切り板を用いる場合であっても、同様に記憶媒体の外形に併せて仕切り板自体を作成する必要がある上に、記憶媒体を衝撃から守るための構成を備えておらず、外部からの衝撃によって記憶媒体に物理的・論理的な損傷が生じる虞があった。
【０００７】
本発明は、上記課題に鑑みてなされたものであり、記憶媒体の多様な形や外形寸法に柔軟に対応できる仕切りを設けた、汎用性の高い記憶媒体用収納容器を提供することをその目的とする。
【課題を解決するための手段】
【０００８】
請求項１に係る記憶媒体用収納容器の発明は、上部に開口部を設けた直方体状の収納ケースと、回動自在に取り付けられ前記開口部の開閉を行う蓋体からなる記憶媒体用収納容器であって、前記収納ケース内部に、前記収納ケースの短手方向と平行に等間隔にて板状の固定仕切りを設け、該固定仕切りの板面と前記収納ケース内面とで形成される収納部にクッション性を有する緩衝体を設け、該収納部に設けた緩衝体の内、前記収納ケースの長手方向で対向する緩衝体の部位に、相対向する溝部を、前記収納部の深さ方向になるようにして平行に等間隔にて形成し、該相対向する溝部に着脱可能な間仕切り板を設けたことを特徴とする。
【０００９】
請求項１の記憶媒体用収納容器の構成によれば、間仕切り板を着脱可能としたことによって、収納部の容量を柔軟に変更することができる。例えば、間仕切り板で小区画された収納部の部位には、記憶媒体としてＤＡＴを収納できるが、当該ＤＡＴに代えて、これよりもサイズの大きいＬＴＯ等の記憶媒体を収納するときには、着脱可能な間仕切り板を取り外すことで間仕切り板間の距離を拡張し、それにより、ＤＡＴよりも大きいサイズの記憶媒体であっても収納することが可能となる。
【００１０】
請求項２に係る記憶媒体用収納容器の発明は、請求項１記載の記憶媒体用収納容器において、前記固定仕切り及び前記間仕切り板は、前記クッション性を有する緩衝体より硬質なパロニア（登録商標）からなることを特徴とする。
【００１１】
請求項２の記憶媒体用収納容器の構成によれば、固定仕切りを、硬質なポリプロピレンを約２〜３倍に押出発泡成形した独立気泡構造のシート状素材たるパロニア（登録商標）とすることによって、固定仕切りの板面にクッション性を有する緩衝体を設けた際に、当該固定仕切りを芯材とすることができ、収納部に記憶媒体を収納した状態で搬送等を行うときに、記憶媒体がズレたりすることを防止できる。さらに、収納部に記憶媒体が収納されない箇所がズレたりして変形することを防止することができる。
【００１２】
請求項３に係る記憶媒体用収納容器の発明は、請求項１又は２記載の記憶媒体用収納容器において、前記緩衝体はサンペルカ（登録商標）からなることを特徴とする。
【００１３】
請求項３の記憶媒体用収納容器の構成によれば、収納部内面を、化学架橋剤で架橋したポリエチレンを、２０倍の中発泡品、乃至４０倍の高発泡品を押し出し発泡成形した独立高密度気泡のシート状素材たるサンペルカ（登録商標）で覆うことで、収納ケース外部からの衝撃を吸収し、収納する記憶媒体に衝撃が伝導することがなく運搬することができる。
【００１４】
請求項４記載に係る記憶媒体用収納容器の発明は、請求項１乃至３の何れか一項記載の記憶媒体用収納容器において、前記収納ケースに収納する記憶媒体の種類を識別するための識別子を取り付けるための、識別子取付部を設け、前記識別子取付部には、収納する記憶媒体の種類を記憶するＩＣタグを着脱可能に取り付けることを特徴とする。
【００１５】
請求項４の記憶媒体用収納容器の構成によれば、記憶媒体収納容器に取り付けられたＩＣタグに「ＩＣタグリーダー」をかざしてＩＣタグの情報を読み取ることで、蓋体を開けることなく、記憶媒体収納容器に収納されている多種多様な記憶媒体が瞬時に判読できる。
【００１６】
請求項５に係る記憶媒体用収納容器の発明は、請求項４記載の記憶媒体用収納容器において、前記識別子取付部は、前記収納ケースの外側表面に形成した孔部に前記ＩＣタグを収納固定し、電波を通す樹脂製蓋によって前記孔部を覆い、更に前記樹脂製蓋を施錠するためのダイヤル錠を設けたことで、前記ＩＣタグの機能を維持しつつ保護することを特徴とする。
【００１７】
請求項５の記憶媒体用収納容器の構成によれば、識別子取付部を樹脂性蓋によって覆うことで、保管時若しくは輸送時において、収納固定したＩＣタグに直接外力が加わることを防止し、該樹脂製蓋をダイヤル錠によって施錠することで、ＩＣタグへの不用意なアクセスを禁止することができる。
【発明の効果】
【００１８】
本発明によれば、収納ケースや蓋体の外部から衝撃を受けた場合であっても衝撃の伝導によって記憶媒体が破損することを防止することができ、また、収納部の間仕切り板を着脱可能とすることで柔軟に収納部の大きさを適宜変更でき、形や外形寸法が異なる多種多様な記憶媒体の収納に対応することができる。また、記憶媒体収納用容器に収納された記憶媒体を、蓋体を開けて直接見ることなく、収納された記憶媒体を識別することができる。これは、収納ケースに、ＩＣタグを着脱可能に装着するための識別子取付部を設けることによって実現した。
【図面の簡単な説明】
【００１９】
【図１】本発明の実施例における、記憶媒体用収納容器を示す斜視図である。
【図２】同上、間仕切り板を外した状態の収納ケースを示す部分拡大平面図である。
【図３】同上、間仕切り板を示す斜視図である。
【図４】同上、間仕切り板を取り付けた状態の収納ケースを示す部分拡大平面図である。
【図５】同上、収納部に記憶媒体としてのＤＡＴを収納した状態の記憶媒体用収納容器を示す斜視図である。
【図６】同上、間仕切り板を一部取り外した状態の記憶媒体用収納容器を示す斜視図である。
【図７】同上、識別子取付部の樹脂製蓋が閉じた状態を示す要部拡大斜視図である。
【図８】同上、識別子取付部の樹脂製蓋が開いた状態を示す要部拡大斜視図である。
【発明を実施するための形態】
【００２０】
本発明を実施するための形態を以下に説明する。もちろん、本発明は、その発明の趣旨に反しない範囲で、本実施形態において説明した以外の構成のものに対しても容易に適用可能なことは説明を要するまでもない。
【００２１】
図１に示す記憶媒体用収納容器１０は、上部に開口部１ａを形成した直方体の箱型に形成した収納ケース１と、開口部１ａを覆う蓋体２から構成される。蓋体２は開口部１ａの端部に、図示しないヒンジ等で回動自在に取り付けられる。収納ケース１の開口部１ａは蓋体２にて閉じた後、パッチン錠１ｃにて施錠し、その閉じた状態を維持することができる。収納ケース１及び蓋体２はアルミ合金にて形成されている。収納ケース１の一方のパッチン錠１ｃの近傍には、識別子取付部６が設けられる。
【００２２】
図２に収納ケース１の開口部１ａの部分拡大平面図を示す。収納ケース１の内部には、収納ケース１の短手方向（図２に示す上下方向）に、収納ケース１の長手方向（図２に示す左右方向）に等間隔な固定仕切り３が接着剤等によって取り付け固定され、記憶媒体２０の収納部１ｂを形成している。固定仕切り３は比較的硬質なシート状素材であるパロニア（登録商標）によって形成されている。固定仕切り３をパロニア（登録商標）によって形成することにより、固定仕切り３にある程度の剛性を持たせることができ、固定仕切り３に後述する緩衝体４を設けた状態で、収納部１ｂに記憶媒体２０を収納したときには、当該記憶媒体２０がズレたりすることを防止でき、記憶媒体２０を収容した記憶媒体用収納容器１０の搬送中に、記憶媒体収納時に不要な間隙が生じてしまい、記憶媒体２０が収納部１ｂ内で動くことを防止することができる。
【００２３】
また、収納部１ｂの内周面は緩衝体４によって隙間がないようにして覆われる。緩衝体４は前記パロニア（登録商標）より軟質なシート状素材であり、弾性を有するサンペルカ（登録商標）によって形成される。収納部１ｂに設けた緩衝体４の内、収納ケース１の長手方向で対向する緩衝体４の部位には、相対向して溝部４ａが形成される。そして、この相対向する溝部４ａは、収納部１ｂの深さ方向になるようにして平行に等間隔にて形成される。
【００２４】
図３は間仕切り板５を示す斜視図である。収納部１ｂは相対向する溝部４ａにこの間仕切り板５の両端部が嵌合されることによって等間隔に分割される。この間仕切り板５を図４に示すように緩衝体４の溝部４ａに嵌合させて着脱自在に固定する。このようにして分割した収納部１ｂに、図５に示すように記憶媒体２０を収納して、蓋体２によって開口部１ａを閉じ、記憶媒体２０の搬送等に用いる。
【００２５】
以上のような構成の記憶媒体用収納容器１０により、搬送中に外力によって大きな衝撃を受けたとしても、緩衝材４によって記憶媒体２０に衝撃が伝導することなく、安全に記憶媒体２０を搬送することができる。また、図５は、記憶媒体２０としてＤＡＴを収納した一例であるが、当該ＤＡＴではなく、それよりも大きなＬＴＯ等記憶媒体を搬送する必要がある場合は、図６に示すように、間仕切り板５を取り外すことで、収納スペースの大きさを変更することができ、種々の記憶媒体に柔軟に対応できるため、汎用性の高い記憶媒体用収納容器の提供が可能となる。
【００２６】
図７は、前述の図１における識別子取付部６の樹脂製蓋６ｂが閉じた状態を示す要部拡大斜視図であり、図８は識別子取付部６の樹脂性蓋６ｂを開いた状態を示す要部拡大斜視図である。この収納容器のパッチン錠１ｃ側表面を窪ませて設けられた孔部６ｃにＩＣタグ６ｄを収納固定する。電波を通す樹脂製蓋６bを開閉可能に取り付けることで孔部６ｃの開口部を覆い、ダイヤル錠６ａを設けることで樹脂製蓋６ｂを不用意に開けることができないよう構成する。これよりＩＣタグ６ｄを着脱可能とすることができるので、収納する記憶媒体に併せてＩＣタグ６ｄを取り替えることが可能となり、更に第三者によってＩＣタグ６ｄに不用意にアクセスされることを防止することができ、セキュリティ性が向上する。
【００２７】
以上、本発明の実施例について詳述したが、本発明は前記実施例に限定されるものではなく、本発明の要旨の範囲内で種々の変形実施が可能である。例えば、収納ケース１ｂ及び蓋体をアルミ合金としたが、これに限定せずに強度やコストに併せて適宜素材の変更を行ってもよい。また、収納ケース１と蓋体２を留め置く手段としてパッチン錠１ｃを用いるとしたが、これに限定せずに適宜他の手段を用いても何ら問題ない。また、ＩＣタグ６ｄは、リーダ・ライタによって記録された情報を書き替えることが可能なタイプ等、適宜他の手段を用いても何ら問題ない。これにより、作業者は、ＩＣタグを読取装置によって読み取らせることで、ＩＣタグに記録された情報を視認することができ、蓋体２を開けることなく収納されている記憶媒体がどのような種類であるかを確認することができる。
【符号の説明】
【００２８】
１０  記憶媒体用収納容器
１    収納ケース
１ａ  開口部
１ｂ  収納部
２    蓋体
３    固定仕切り
４    緩衝体
４ａ  溝部
５    間仕切り板
６    識別子取付部
６ａ  ダイヤル錠
６ｂ  樹脂製蓋
６ｃ  孔部
６ｄ  ＩＣタグ
２０  記憶媒体
【図１】
2014184969.tif 000003
【図２】
2014184969.tif 000004
【図３】
2014184969.tif 000005
【図４】
2014184969.tif 000006
【図５】
2014184969.tif 000007
【図６】
2014184969.tif 000008
【図７】
2014184969.tif 000009
【図８】
2014184969.tif 000010